(57)【要約】【課題】一の録画予約の放送終了時刻と他の録画予約の放送開始時刻が一致した場合でも、番組の録画を好適に行う。【解決手段】録画装置１０は、複数の録画予約が登録された録画予約リストを生成する録画予約制御部１０６ａと、録画予約リストに従って番組を録画する録画制御部１０６ｂと、を備え、録画予約制御部１０６ａは、時間的に先の録画予約の放送終了時刻が時間的に後の録画予約の放送開始時刻と一致しているか否かを判定し、先の録画予約の放送終了時刻が後の録画予約の放送開始時刻と一致した場合に、先の録画予約または後の録画予約のいずれか一方に優先度を設定し、録画制御部１０６ｂは、先の録画予約の放送終了時刻と後の録画予約の放送開始時刻とが一致した時刻前後において、優先度が設定された番組を優先して録画する。【選択図】図１
2008271327.tif 000002
【特許請求の範囲】
【請求項１】
複数の録画予約が登録された録画予約リストを生成する録画予約制御部と、
前記録画予約リストに従って番組を録画する録画制御部と、
を備え、
前記録画予約制御部は、時間的に先の録画予約の放送終了時刻が時間的に後の録画予約の放送開始時刻と一致しているか否かを判定し、前記先の録画予約の放送終了時刻が前記後の録画予約の放送開始時刻と一致した場合に、前記先の録画予約または前記後の録画予約のいずれか一方に優先度を設定し、
前記録画制御部は、前記先の録画予約の放送終了時刻と前記後の録画予約の放送開始時刻とが一致した時刻前後において、優先度が設定された番組を優先して録画する、
ことを特徴とする録画装置。
【請求項２】
前記録画予約制御部は、前記先の録画予約および前記後の録画予約のいずれか一方をユーザが選択するための選択画面を表示するための処理を行うことを特徴とする請求項１に記載の録画装置。
【請求項３】
前記録画制御部は、前記先の録画予約に優先度が設定されている場合に、前記先の録画予約に従って番組の録画をその番組の放送終了時刻まで行い、当該放送終了時刻から録画切換用の設定時間が経過してから前記後の録画予約に従って番組の録画を開始することを特徴とする請求項１〜２のいずれか１項に記載の録画装置。
【請求項４】
前記録画制御部は、前記後の録画予約に優先度が設定されている場合に、前記先の録画予約に従って番組の録画をその番組の放送終了時刻よりも録画切換用の設定時間前まで行い、当該放送終了時刻から前記後の録画予約に従って番組の録画を開始することを特徴とする請求項１〜３のいずれか１項に記載の録画装置。
【請求項５】
前記録画制御部は、前記先の録画予約と前記後の録画予約との間にチャンネル変更が有る場合には、前記録画切換用の設定時間を比較的に長く設定し、前記先の録画予約と前記後の録画予約との間にチャンネル変更が無い場合には、前記録画切換用の設定時間を比較的に短く設定することを特徴とする請求項３〜４のいずれか１項に記載の録画装置。
【請求項６】
前記録画予約制御部は、録画予約された番組の種別に基づいて、前記先の録画予約および前記後の録画予約のいずれか一方に優先度を設定することを特徴とする請求項１〜５に記載の録画装置。
【請求項７】
前記録画予約制御部は、録画予約された番組が本編であるか又は本編以外であるかに基づいて、前記先の録画予約および前記後の録画予約のいずれか一方に優先度を設定することを特徴とする請求項１〜６に記載の録画装置。
【請求項８】
前記録画予約制御部は、録画予約された番組の放送時間帯に基づいて、前記先の録画予約および前記後の録画予約のいずれか一方に優先度を設定することを特徴とする請求項１〜７に記載の録画装置。
【請求項９】
時間的に先の録画予約の放送終了時刻が時間的に後の録画予約の放送開始時刻と一致しているか否かを判定し、
前記先の録画予約の放送終了時刻が前記後の録画予約の放送開始時刻と一致した場合に、前記先の録画予約または前記後の録画予約のいずれか一方に優先度を設定し、
前記先の録画予約の放送終了時刻と前記後の録画予約の放送開始時刻とが一致した時刻前後において、優先度が設定された番組を優先して録画する録画方法。
【発明の詳細な説明】
【技術分野】
【０００１】
本発明は、録画予約に従って番組を録画する録画装置および録画方法に関する。
【背景技術】
【０００２】
従来文献（特許文献１）の装置では、同一時間帯に複数の番組が重複して録画予約された場合には、優先して録画する番組をユーザが選択可能となっている。そして、この装置は、録画予約が重複する時間帯に、ユーザにより選択された番組を録画する。
【特許文献１】特開２００５‐２１７７３８号公報
【発明の開示】
【発明が解決しようとする課題】
【０００３】
同一時間帯に複数番組が重複して録画予約された場合の処理については、上記の従来文献に示されるように様々な検討がなされてきた。しかしながら、録画予約された２つの番組が時間的に連続して録画される場合、言い換えれば、一の録画予約の録画終了時刻が他の録画予約の録画開始時刻と一致する場合については、未だ検討が十分になされていない状況である。このような場合には、録画終了時刻と録画開始時刻とが一致する時刻において番組録画を切り換えるための録画切換処理が必要であるため、いずれか一方の番組が完全に録画することができない状況にある。
【０００４】
本発明は、上記の課題を解決するためになされたもので、一の録画予約の放送終了時刻と他の録画予約の放送開始時刻が一致した場合でも、番組の録画を好適に行うことが可能な録画装置および録画方法を提供することを目的とする。
【課題を解決するための手段】
【０００５】
上述した目的を達成するために、本発明に係る録画装置は、複数の録画予約が登録された録画予約リストを生成する録画予約制御部と、録画予約リストに従って番組を録画する録画制御部と、を備え、録画予約制御部は、時間的に先の録画予約の放送終了時刻が時間的に後の録画予約の放送開始時刻と一致しているか否かを判定し、先の録画予約の放送終了時刻が後の録画予約の放送開始時刻と一致した場合に、先の録画予約または後の録画予約のいずれか一方に優先度を設定し、録画制御部は、先の録画予約の放送終了時刻と後の録画予約の放送開始時刻とが一致した時刻前後において、優先度が設定された番組を優先して録画する、ことを特徴とする。
【０００６】
また、本発明に係る録画方法は、時間的に先の録画予約の放送終了時刻が時間的に後の録画予約の放送開始時刻と一致しているか否かを判定し、先の録画予約の放送終了時刻が後の録画予約の放送開始時刻と一致した場合に、先の録画予約または後の録画予約のいずれか一方に優先度を設定し、先の録画予約の放送終了時刻と後の録画予約の放送開始時刻とが一致した時刻前後において、優先度が設定された番組を優先して録画する録画方法である。
【発明の効果】
【０００７】
本発明によれば、一の録画予約の放送終了時刻と他の録画予約の放送開始時刻が一致した場合でも、番組の録画を好適に行うことが可能な録画装置および録画方法を提供することができる。
【発明を実施するための最良の形態】
【０００８】
以下、本発明の実施の形態について説明する。なお、同一要素には同一符号を用い、重複する説明は省略する。
【０００９】
［第１実施形態］
図１は、本発明の実施形態に係る録画装置１０の内部構成を示すブロック図である。
【００１０】
ＤＶＤドライブは、ＤＶＤ−ＲＡＭ（Digital Versatile Disk Random Access Memory）やＤＶＤ−Ｒ（Digital VersatileDisk Recordable）などの光ディスクＤ１が着脱可能に構成されている。ＤＶＤドライブは、録画された番組のデジタルデータを光ディスクＤ１に記録する記録機能と、光ディスクＤ１に記録されている録画された番組のデジタルデータを読み取って再生する再生機能と、を有している。
【００１１】
ハードディスク（ＨＤ）ドライブ１０１は、ハードディスクを内蔵している。ＨＤドライブ１０１は、録画された番組のデジタルデータをハードディスクに記録する記録機能と、ハードディスクに記録されている録画された番組のデジタルデータを読み取って再生する再生機能と、を有している。ＨＤドライブ１０１は、番組の録画処理を行うときに参照される録画予約リストを記憶している。コントローラ１０３は、ＨＤドライブ１０１にある録画番組や録画予約リストなどのデジタルデータの記録および再生を制御する。
【００１２】
チューナ部１０８は、テレビジョン放送を受信するためのアンテナに接続されており、そのアンテナを介してアナログ映像信号およびアナログ音声信号を取り込む。
【００１３】
エンコーダ部１０４は、マイクロコンピュータブロック１０６の制御に基づいて、チューナ部１０８から入力されるアナログ映像信号およびアナログ音声信号をデジタル映像信号およびデジタル音声信号に変換する。また、変換されたデジタル映像信号をＭＰＥＧ（Moving Picture Experts Group）−２規格に基づいて圧縮し、圧縮されたデジタル映像信号に変換して、データプロセッサ１０９に出力する。デジタル音声信号についても、例えばＡＣ（Audio Compression）−３規格に基づいて圧縮し、圧縮したデジタル音声信号に変換してデータプロセッサ１０９に出力する。ＨＤドライブ１０１またはＤＶＤドライブ１０２は、データプロセッサ１０９を介してデジタル映像信号およびデジタル音声信号を取り込み、ハードディスクまたは光ディスクＤ１に録画する。
【００１４】
デコーダ部１０５は、マイクロコンピュータブロック１０６の制御に基づいて、ＤＶＤドライブ１０２やＨＤドライブ１０１により読み出されたデジタル映像信号およびデジタル音声信号をデータプロセッサ１０９を介して取り込み、取り込んだ信号から映像信号と音声信号とを分離してそれぞれをデコードし、アナログ映像信号およびアナログ音声信号に変換する。
【００１５】
映像入出力部１０７は、外部機器との間で映像信号および音声信号を入出力するために設けられている。本実施形態では、録画装置１０にはディスプレイ（不図示）が接続されており、映像入出力部は、デコーダ部１０５により変換されたアナログ映像信号およびアナログ音声信号をディスプレイに出力する。これにより、録画装置１０は、録画された番組を再生してディスプレイに表示することができる。なお、録画装置１０は、各種のメニュー画面をディスプレイに表示することもできる。
【００１６】
マイクロコンピュータブロック１０６は、図示しないＭＰＵ（Micro Processing Unit）と、ＲＯＭおよびＲＡＭを有している。ＲＯＭには、制御プログラムやＭＰＵが実行するプログラムが書き込まれている。ＲＡＭは、ＭＰＵによるプログラムの実行に必要なワークエリアを提供し得るようになっている。
【００１７】
マイクロコンピュータブロック１０６は、ＲＯＭに記憶されている制御プログラムに従い上述の各モジュールを制御して、映像表示や音声出力などを統括する。また、マイクロコンピュータブロック１０６は、リモートコントローラ１１１の操作情報を図示しない赤外線受光部を介して受信し、その受信した情報に従って動作を制御する。
【００１８】
さらに、マイクロコンピュータブロック１０６は、ＭＰＵがＲＯＭに記憶されているプログラムを実行することによって、録画予約制御部１０６ａおよび録画制御部１０６ｂとして作動するようになっている。録画予約制御部１０６ａは、ユーザによる録画予約を受け付けて、複数の録画予約が登録された録画予約リストを生成する機能を有している。録画制御部１０６ｂは、録画予約リストに従って番組の録画処理を行う機能を有している。
【００１９】
次に、図２および図３を参照して、録画予約制御部１０６ａによる録画予約処理について説明する。
【００２０】
ユーザは、リモートコントローラを用いて新規の録画予約操作を行い、その録画予約操作に応じた録画予約情報を入力する。これによりその録画予約情報を録画予約リストに登録要求する。録画予約制御部１０６ａは、ユーザの録画予約操作に応じて、その録画予約操作に応じた録画予約情報を取り込む（Ｓ２０１）。録画予約制御部１０６ａは、録画予約リストに既に登録されている複数の録画予約情報の各々の録画日および録画時間の情報を抽出する（Ｓ２０２）。
【００２１】
次に、録画予約制御部１０６ａは、抽出された録画予約情報の録画日の中で、ユーザにより登録要求されている新規の録画予約情報の録画日と一致するものがあるか否かを判定する（Ｓ２０３）。ここで、録画予約制御部１０６ａは、録画日と一致するものがある場合には、ステップ２０４の処理に進む。一方、録画予約制御部１０６ａは、録画日と一致するものがない場合には、ステップ２１６の処理に進んで、録画予約リストに録画予約情報を登録する。
【００２２】
ステップ２０３からステップ２０４に進んだ場合には、録画予約制御部１０６ａは、抽出された録画予約情報の録画時間の中で、ユーザにより登録要求されている新規の録画予約情報の録画時間と一致するものがあるか否かを判定する（Ｓ２０４）。ここで、録画予約制御部１０６ａは、録画時間と一致するものがある場合には、ステップ２０５の処理に進む。一方、録画予約制御部１０６ａは、録画時間と一致するものがない場合には、ステップ２０６の処理に進む。
【００２３】
ステップ２０４からステップ２０５に進んだ場合には、録画予約制御部１０６ａは、新規の録画予約の登録要求をキャンセルするか、または新規の録画予約の登録要求を継続するかを選択するための選択画面をディスプレイに表示するための処理を行う（Ｓ２０５）。ここで、ユーザがリモートコントローラを用いて登録要求のキャンセルを選択した場合には、録画予約制御部１０６ａは、録画予約リストに録画予約情報を登録することなく録画予約処理を終了する。一方、ユーザがリモートコントローラを用いて登録要求の継続を選択した場合には、録画予約制御部１０６ａは、ステップ２１６の処理に進んで、録画予約リストに新規の録画予約情報を登録する。
【００２４】
ステップ２０４からステップ２０６に進んだ場合には、録画予約制御部１０６ａは、録画予約リストに登録された録画予約情報の中で、その録画終了時刻が新規の録画予約情報の録画開始時刻と一致するものがあるか否かを判定する（Ｓ２０６）。ここで、録画予約制御部１０６ａは、録画終了時刻と録画開始時刻とが一致するものがある場合には、ステップ２０７の処理に進む。一方、録画予約制御部１０６ａは、録画終了時刻と録画開始時刻とが一致するものがない場合には、ステップ２１１の処理に進む。
【００２５】
ステップ２０６からステップ２０７に進んだ場合には、録画予約制御部１０６ａは、新規の録画予約情報または既登録の録画予約情報（ステップ２０６において、その録画終了時刻が新規の録画予約情報の録画開始時刻と一致すると判定されたもの）のいずれか一方を選択するための選択画面をディスプレイに表示するための処理を行う（Ｓ２０７）。言い換えれば、録画予約制御部１０６ａは、新規の録画予約情報の番組先端または既登録の録画予約情報の番組終端のいずれか一方を選択するための選択画面をディスプレイに表示するための処理を行う（例えば図４参照）。
【００２６】
ステップ２０８において、ユーザがリモートコントローラを用いて新規の録画予約情報の番組先端を選択した場合には、録画予約制御部１０６ａは、録画予約リストに新規の録画予約情報を登録した後に、新規の録画予約情報の録画優先情報（優先度）を有効に設定する（Ｓ２０９）。一方、ユーザがリモートコントローラを用いて既登録の録画予約情報の番組終端を選択した場合には、録画予約制御部１０６ａは、既登録の録画予約情報の録画優先情報（優先度）を有効に設定する（Ｓ２１０、例えば図５参照）。その後、録画予約制御部１０６ａは、ステップ２１６の処理に進んで、録画予約リストに新規の録画予約情報を登録する。
【００２７】
ステップ２０６からステップ２１１に進んだ場合には、録画予約制御部１０６ａは、録画予約リストに登録された録画予約情報の中で、その録画開始時刻が新規の録画予約情報の録画終了時刻と一致するものがあるか否かを判定する（Ｓ２１１）。ここで、録画予約制御部１０６ａは、録画開始時刻と録画終了時刻とが一致するものがある場合には、ステップ２１２の処理に進む。一方、録画予約制御部１０６ａは、録画開始時刻と録画終了時刻とが一致するものがない場合には、ステップ２１６の処理に進んで、録画予約リストに新規の録画予約情報を登録する。
【００２８】
ステップ２１１からステップ２１２に進んだ場合には、録画予約制御部１０６ａは、新規の録画予約情報または既登録の録画予約情報（ステップ２１１において、その録画開始時刻が新規の録画予約情報の録画終了時刻と一致すると判定されたもの）のいずれか一方を選択するための選択画面をディスプレイに表示するための処理を行う（Ｓ２１２）。言い換えれば、録画予約制御部１０６ａは、新規の録画予約情報の番組終端または既登録の録画予約情報の番組先端のいずれか一方を選択するための選択画面をディスプレイに表示するための処理を行う（例えば図４参照）。
【００２９】
ステップ２１３において、ユーザがリモートコントローラを用いて新規の録画予約情報の番組終端を選択した場合には、録画予約制御部１０６ａは、録画予約リストに新規の録画予約情報を登録した後に、新規の録画予約情報の録画優先情報（優先度）を有効に設定する（Ｓ２１４）。一方、ユーザがリモートコントローラを用いて既登録の録画予約情報の番組先端を選択した場合には、録画予約制御部１０６ａは、既登録の録画予約情報の録画優先情報（優先度）を有効に設定する（Ｓ２１５）。その後、録画予約制御部１０６ａは、ステップ２１６の処理に進んで、録画予約リストに新規の録画予約情報を登録する。
【００３０】
次に、図６を参照して、録画制御部１０６ｂによる録画処理について説明する。
【００３１】
録画制御部１０６ｂは、録画予約リストに従って番組の録画処理を行う。録画制御部１０６ｂは、録画予約リストに登録された録画予約情報の中で、その録画開始時刻が録画処理中の録画予約情報の録画終了時刻と一致するものがあるか否かを判定する（Ｓ６０１）。ここで、録画制御部１０６ｂは、録画開始時刻と録画終了時刻とが一致するものがある場合には、ステップ６０２の処理に進む。一方、録画制御部１０６ｂは、録画開始時刻と録画終了時刻とが一致するものがない場合には、録画終了時刻になると録画処理を終了する。
【００３２】
ステップ６０１からステップ６０２に進んだ場合には、録画制御部１０６ｂは、録画処理中の録画予約情報に録画優先情報が有効に設定されているか、または次の録画予約情報（ステップ６０１において、その録画開始時刻が録画処理中の録画予約情報の録画終了時刻と一致すると判定されたもの）に録画優先情報が有効に設定されているかを判定する（Ｓ６０２）。ここで、録画制御部１０６ｂは、録画処理中の録画予約情報に録画優先情報が有効に設定されていると判定した場合には、ステップ６０３の処理に進む。一方、録画制御部１０６ｂは、次の録画予約情報に録画優先情報が有効に設定されていると判定した場合には、ステップ６０４の処理に進む。
【００３３】
ステップ６０２からステップ６０３に進んだ場合には、録画制御部１０６ｂは、録画処理中の録画予約情報の録画終了時刻になるまで録画処理を継続し、その録画終了時刻になると録画終了処理を開始する（Ｓ６０３）。そして、録画制御部１０６ｂは、その録画終了時刻から録画切換用の設定時間が経過すると、次の録画予約情報の録画処理を開始する。ステップ６０３の録画切換処理では、図７に示されるように、時間的に先の録画予約情報に応じた番組録画が終端まで実行されており、時間的に後の録画予約情報に応じた番組録画の先端は省略されている。
【００３４】
ステップ６０２からステップ６０４に進んだ場合には、録画制御部１０６ｂは、録画処理中の録画予約情報の録画終了時刻から録画切換用の設定時間前まで録画処理を継続し、その録画終了時刻から録画切換用の設定時間前になると録画終了処理を開始する（Ｓ６０４）。そして、録画制御部１０６ｂは、その録画終了時刻になると、次の録画予約情報の録画処理を開始する。ステップ６０４の録画切換処理では、図８に示されるように、時間的に先の録画予約情報に応じた番組録画の終端は省略されており、時間的に後の録画予約情報に応じた番組録画の先端から実行されている。
【００３５】
なお、録画制御部１０６ｂは、ステップ６０３またはステップ６０４において、時間的に先の録画予約情報と時間的に後の録画予約情報との間におけるチャンネル変更の有無に応じて、録画切換用の設定時間に異なる時間を用いてもよい。すなわち、録画制御部１０６ｂは、時間的に先の録画予約情報と時間的に後の録画予約情報との間でチャンネル変更が有る場合には、録画切換用の設定時間として比較的に長い時間（例えば３０秒）を用いる。一方、録画制御部１０６ｂは、時間的に先の録画予約情報と時間的に後の録画予約情報との間でチャンネル変更が無い場合には、録画切換用の設定時間として比較的に短い時間（例えば１５秒）を用いる。この処理により、録画制御部１０６ｂは、チャンネル変更が無い場合に、録画が省略される時間を短くすることができる。
【００３６】
［第２実施形態］
次に、図９を参照して、第２実施形態に係る録画予約処理について説明する。図９のフローチャートにおいて、第１実施形態と同じ処理は、図２および図３と同じ参照符号で示している。図９に示されるように、第２実施形態に係る録画予約処理では、ステップ２０６の処理までは第１実施形態と同じであるが、ステップ２０６またはステップ２１１の判定が肯定された場合にステップ９０１の処理に進む。
【００３７】
ステップ２０６からステップ９０１に進んだ場合には、録画予約制御部１０６ａは、録画予約された番組の種別に基づいて、新規の録画予約情報と既登録の録画予約情報のいずれか一方のいずれか一方の録画優先情報（優先度）を有効に設定する。ここで、番組の種別とは、ドラマ、ニュース、バラエティ、ドキュメンタリーなどの番組のジャンルである。すなわち、録画予約制御部１０６ａは、番組の種別ごとに対応付けられた優先順位の情報を有しており、新規の録画予約情報と既登録の録画予約情報のうち番組種別の優先順位が高い方の録画優先情報（優先度）を有効に設定する。その後、録画予約制御部１０６ａは、ステップ２１６の処理に進んで、録画予約リストに新規の録画予約情報を登録する。
【００３８】
例えば、ドラマやバラエティなどの番組では、開始時刻付近において前回のあらすじを紹介していたり、終了時刻付近において次回の予告をしている場合があるため、優先順位は低く設定されている。一方、ニュースなどの番組では、開始時刻付近から終了時刻付近まで内容が放送されるため、優先順位は高く設定されている。したがって、番組の録画時においては、ドラマやバラエティなどの番組よりも、ニュースなどの番組の方が優先して録画されるため、録画される番組の内容が省略されることを防止することができる。
【００３９】
［第３実施形態］
次に、図１０を参照して、第２実施形態に係る録画予約処理について説明する。図１０のフローチャートにおいて、第１実施形態と同じ処理は、図２および図３と同じ参照符号で示している。図１０に示されるように、第２実施形態に係る録画予約処理では、ステップ２０６の処理までは第１実施形態と同じであるが、ステップ２０６またはステップ２１１の判定が肯定された場合にステップ１００１の処理に進む。
【００４０】
ステップ２０６からステップ１００１に進んだ場合には、録画予約制御部１０６ａは、録画予約された番組が本編であるか、又はＣＭ（広告放送）などの本編以外であるかに基づいて、新規の録画予約情報と既登録の録画予約情報とに本編優先情報を有効に設定する。ここで、本編優先情報とは、時間的に先の録画予約情報の終端が番組の本編である場合に当該先の録画予約情報の録画優先情報（優先度）を有効に設定し、時間的に先の録画予約情報の終端が番組の本編以外である場合に当該先の録画予約情報の録画優先情報（優先度）を無効に設定する情報である。その後、録画予約制御部１０６ａは、ステップ２１６の処理に進んで、録画予約リストに新規の録画予約情報を登録する。
【００４１】
録画制御部１０６ｂは、番組の内容が本編であるか又は本編以外であるかを番組種別や映像解析を元に自動的に判定する機能を有している。録画制御部１０６ｂは、録画処理中の録画予約情報に本編優先情報が設定されている場合には、録画終了時刻よりも録画切換用の設定時間前になると、録画中の番組が本編であるか又は本編以外であるかを判定する。そして、録画制御部１０６ｂは、録画中の番組が本編である場合には、その番組の録画を録画終了時刻まで継続する。一方、録画制御部１０６ｂは、録画中の番組が本編以外である場合には、直ちにその番組の録画終了処理を開始する。したがって、番組の録画時においては、本編の番組内容が優先して録画されるため、録画される番組の内容が省略されることを防止することができる。
【００４２】
［第４実施形態］
次に、図１１を参照して、第２実施形態に係る録画予約処理について説明する。図１１のフローチャートにおいて、第１実施形態と同じ処理は、図２および図３と同じ参照符号で示している。図１１に示されるように、第２実施形態に係る録画予約処理では、ステップ２０６の処理までは第１実施形態と同じであるが、ステップ２０６またはステップ２１１の判定が肯定された場合にステップ１１０１の処理に進む。
【００４３】
ステップ２０６からステップ１１０１に進んだ場合には、録画予約制御部１０６ａは、録画予約された番組の放送時間帯に基づいて、新規の録画予約情報と既登録の録画予約情報のいずれか一方のいずれか一方の録画優先情報（優先度）を有効に設定する。すなわち、録画予約制御部１０６ａは、番組の放送時間帯ごとに対応付けられた優先順位の情報を有しており、新規の録画予約情報と既登録の録画予約情報のうち放送時間帯の優先順位が高い方の録画優先情報（優先度）を有効に設定する。その後、録画予約制御部１０６ａは、ステップ２１６の処理に進んで、録画予約リストに新規の録画予約情報を登録する。
【００４４】
例えば、昼間の時間帯に放送される番組では、開始時刻付近から番組内容の放送が開始され、終了時刻付近ではＣＭが放送される傾向があるため、開始時刻の優先順位が高く、終了時刻の優先順位が低く設定されている。一方、深夜の時間帯に放送される番組では、開始時刻付近よりも若干遅れて番組内容の放送が開始され、終了時刻付近まで番組内容が放送される傾向があるため、開始時刻の優先順位が低く、終了時刻の優先順位が高く設定されている。したがって、番組の録画時においては、昼間の時間帯であれば開始時刻付近の番組内容が優先して録画され、深夜の時間帯であれば終了時刻付近の番組内容が優先して録画されるため、録画される番組の内容が省略されることを防止することができる。
【図面の簡単な説明】
【００４５】
【図１】本実施形態の録画装置のブロック図である。
【図２】第１実施形態の録画予約処理（前半）のフローチャートである。
【図３】第１実施形態の録画予約処理（後半）のフローチャートである。
【図４】録画予約用の画面を示す図である。
【図５】録画予約情報を示す図である
【図６】第１実施形態の録画処理のフローチャートである。
【図７】時間的に先の録画予約情報の優先度が高い場合の録画処理を示すタイムチャートである。
【図８】時間的に後の録画予約情報の優先度が高い場合の録画処理を示すタイムチャートである。
【図９】第２実施形態の録画予約処理のフローチャートである。
【図１０】第３実施形態の録画予約処理のフローチャートである。
【図１１】第４実施形態の録画予約処理のフローチャートである。
【符号の説明】
【００４６】
１０…録画装置、１０１…ＨＤドライブ、１０２…ＤＶＤドライブ、１０３…コントローラ、１０４…エンコーダ部、１０５…デコーダ部、１０６…マイクロコンピュータブロック、１０６ａ…録画予約制御部、１０６ｂ…録画制御部、１０７…映像入出力部、１０８…チューナ部、１０９…データプロセッサ、１１１…リモートコントローラ、Ｄ１…光ディスク。
【図１】
2008271327.tif 000003
【図２】
2008271327.tif 000004
【図３】
2008271327.tif 000005
【図４】
2008271327.tif 000006
【図５】
2008271327.tif 000007
【図６】
2008271327.tif 000008
【図７】
2008271327.tif 000009
【図８】
2008271327.tif 000010
【図９】
2008271327.tif 000011
【図１０】
2008271327.tif 000012
【図１１】
2008271327.tif 000013